(57)【要約】【課題】一部若しくは全てが相互に重なる受信電波を出力する複数のアンテナの出力を一本の伝送線で引き込む。【解決手段】少なくとも１つのアンテナからなる第１の受信系と，第１の受信系の出力と一部若しくは全てが重なる受信電波を出力する少なくとも１つのアンテナからなる第２の受信系と，第１の受信系の信号を第１の光信号に変換する第１の光送信機と，第２の受信系の信号を第２の光信号に変換する第２の光送信機と，第１及び第２の光信号を合成する第１の波長多重分割化装置とからなる受信点施設と，前記施設から出力された光信号を伝送する光ファイバと，前記光ファイバの他方に接続され，光ファイバで伝送された光信号を第１及び第２の光信号とに分波する第２の波長多重分割化装置と，この装置から出力される第１及び第２の光信号を電気信号に変換する第１及び第２の光受信機とを備えた受信機側施設とから成る。【選択図】  図１
2005303748.tif 000002
【特許請求の範囲】
【請求項１】
衛星や地上放送等の電波を受信して，一部若しくは全てが相互に重なる受信電波を出力する複数の受信アンテナからなる受信点施設と，上記複数の受信信号を引き込むための一本の伝送線とを備える共同受信システムにおいて，
夫々異なる受信電波を出力する少なくとも１つの受信アンテナと当該出力を合成する合成手段とからなる第１の受信系と，夫々異なる受信電波であって，前記第１の受信系の出力と一部若しくは全てが重なる受信電波を出力する少なくとも１つの受信アンテナとからなる第２の受信系と，前記第１の受信系から出力される電気信号を第１の光信号に変換して出力する第１の光送信機と，前記第２の受信系から出力される電気信号を第２の光信号に変換して出力する第２の光送信機と，前記第１の光信号と，前記第２の光信号とを合成する第１の波長多重分割化装置とからなる受信点施設と，
前記受信点施設と一方を接続され，当該施設から出力された光信号を伝送する光ファイバと，
前記光ファイバの他方に接続され，この光ファイバを介して伝送された光信号を前記第１の光信号と前記第２の光信号とに分波する第２の波長多重分割化装置と，当該第２の波長多重分割化装置から出力される第１の光信号を電気信号に変換する第１の光受信機とからなる第１の出力経路と，前記第２の波長多重分割化装置と，当該第２の波長多重分割化装置から出力される第２の光信号を電気信号に変換する第２の光受信機とからなる第２の出力経路を備えた受信機側施設と，
から成ることを特徴とした共同受信システム。
【請求項２】
前記第１の受信系を構成する受信アンテナの内少なくとも１つは，衛星からの電波を受信して，当該電波を第１の中間周波数帯の信号に変換して出力する少なくとも１つの受信要素を有した第１のアンテナからなり，
前記第２の受信系を構成する受信アンテナの内少なくとも１つは，前記第１のアンテナが受信する衛星とは異なる衛星からの電波を受信して，当該電波を前記第１のアンテナから出力される第１の中間周波数帯の信号と一部若しくは全てが相互に重なる第２の中間周波数帯に変換して出力する少なくとも１つの受信要素を有した第２のアンテナからなることを特徴とした請求項１に記載の共同受信システム。
【請求項３】
請求項２に記載の共同受信システムにおいて，
前記第１のアンテナは，夫々相互に一部若しくは全てが重なる第１の中間周波数帯の信号を出力する２つの受信要素と，当該受信要素の出力に接続されて，前記第１の中間周波数帯の信号を，相互に重ならない第３の中間周波数帯に周波数変換して出力する周波数変換部とを備え，
前記第２のアンテナは，夫々相互に一部若しくは全てが重なる第２の中間周波数帯の信号を出力する２つの受信要素と，当該受信要素の出力に接続されて，前記第２の中間周波数帯の信号を，相互に重ならない第４の中間周波数帯に周波数変換して出力する周波数変換部とを備え，
前記第１の受信系の出力は前記第１の光送信機に接続され，前記第２の受信系の出力は前記第２の光送信機に接続されたことを特徴とした共同受信システム。
【請求項４】
請求項２に記載の受信システムにおいて，
前記第２のアンテナは，前記第１のアンテナが受信する衛星とは異なる複数の衛星からの電波を受信する４つの受信要素が備えられ，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから成ることを特徴とした共同受信システム。
【請求項５】
請求項２に記載の共同受信システムにおいて，
前記第２の受信系には，前記第１のアンテナが受信する衛星とは異なる複数の衛星からの電波を受信する，夫々１つ若しくは２つの受信要素を有する第２及び第３のアンテナを備え，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから成ることを特徴とした共同受信システム
【請求項６】
請求項３に記載の共同受信システムにおいて，
当該受信システムにおける受信側施設は，
前記第１の出力経路には，前記第１の光受信機から出力された信号を前記第１の受信系から出力される前記第３の中間周波数帯の信号と，当該信号とは相互に重ならない信号とに分波する分波器と，
前記第２の出力経路には，前記第２の光受信機から出力される前記第４の中間周波数帯の信号を略同量に分配する分配器と，
前記分波器の第３の中間周波数帯が出力される出力端子と，前記分配器の一方の出力端子とに接続されて，前記第３の中間周波数帯の信号か，前記第４の中間周波数帯の信号かを選択する切換器とを備えたことを特徴とした共同受信システム。
【請求項７】
請求項４又は請求項５に記載の共同受信システムにおいて，
当該受信システムにおける受信側施設を構成する前記第１の出力経路には，前記第１の光受信機から出力された信号を前記第１の受信系から出力される前記第３の中間周波数帯の信号と，当該信号とは相互に重ならない信号とに分波する分波器と，
前記第２の出力経路には，前記第２の光受信機から出力される前記第４の中間周波数帯の信号を周波数変換して前記第２の中間周波数帯の信号に周波数変換する周波数変換部を備えたことを特徴とした共同受信システム。
【請求項８】
前記光信号は１．３１μｍ帯及び１．５５μｍ帯を使用して構成するか，１．５５μｍ帯を使用して構成することを特徴とした請求項１乃至請求項７の何れかに記載の共同受信システム。
【発明の詳細な説明】
【技術分野】
【０００１】
本発明は，主に衛星や地上波の複数の電波を受信して複数の受信電波を得ると共に，それら多数の受信信号のなかに一部若しくは全てが相互に重なる受信電波があったとしても一本の伝送線で引き込むことが可能な共同受信システムに関する。
【背景技術】
【０００２】
例えば複数の衛星からの電波をマルチビームアンテナで受信して複数の受信信号を得ると共に，他のアンテナでは他の電波を受信して夫々受信信号を得,それら多数の信号を受信して引き込むようなシステムの場合，各衛星からの電波を夫々受信する受信要素から出力される受信信号の周波数帯域は相互に一部若しくは全てが重なる場合があり，各受信要素において受信信号の周波数帯域を受信信号毎にずらし操作している。ところが複数の衛星から受信信号を受信し，相互に重ならないように周波数配列するような場合が有る，このシステムでは一本の伝送線で受信信号をすべて伝送でき，共同受信システムに利用できるといったメリットを有するものである。
また，伝送帯域の範囲を制限すると，複数の受信要素からの信号を相互に周波数帯域が重ならないように伝送するため，例えば複数の伝送線を用いて引き込む方法がある。
更に，複数の受信要素と伝送線との間に，複数の受信要素からの受信信号を選択的に伝送線に与えるための切替手段を介設する一方，上記伝送線の他方側には，上記伝送線に選択信号を送出するための選択信号送出手段を接続し，上記切替手段には，上記伝送線から選択信号を受けて切替手段を対応切替するための制御手段を接続したシステムが提案なされている。
【０００３】
【特許文献１】特開平５−１３６７０３号公報
【発明の開示】
【発明が解決しようとする課題】
【０００４】
しかし，従来各受信要素の受信信号の周波数帯域をずらし操作して一本の伝送線で引き込む方法によれば，受信信号の数が多いほど極めて広帯域に亘って周波数配列を行う必要があり，このため広帯域に対応した高価な伝送線が必要になるといった問題点や，特に高い周波数帯の減衰特性といった周波数特性に対する問題があった。
また複数本の伝送線を用いて引き込む方法によれば，設置工事が複雑になるといった問題点があった。
更に受信要素に接続された切替手段を受信機側の選択信号送出手段で切替えるシステムによれば，回路構成が複雑になるといった問題が有った。またこの方式によると一本の伝送線で受信信号を引き込むことができるが，切替手段と選択信号送出手段とは伝送線を介して一対一で対応しているため，共同受信システムには使用できないといった問題があった。
そこで本願においては，こうした問題点を解決するためになされたものであり，
その目的は，複数の受信要素からの受信信号であって，その一部若しくはすべてが重なった周波数帯域の信号を一本の伝送線で引き込み可能とする共同受信システムを提供することにある。
他の目的は，簡単な工事で複数の受信要素で受信した受信信号を引き込み可能とする共同受信システムを提供することにある。
【課題を解決するための手段】
【０００５】
請求項１の発明は，衛星や地上放送等の電波を受信して，一部若しくは全てが相互に重なる受信電波を出力する複数の受信アンテナからなる受信点施設と，上記複数の受信信号を引き込むための一本の伝送線とを備える共同受信システムにおいて，
夫々異なる受信電波を出力する少なくとも１つの受信アンテナと当該出力を合成する合成手段とからなる第１の受信系と，夫々異なる受信電波であって，前記第１の受信系の出力と一部若しくは全てが重なる受信電波を出力する少なくとも１つの受信アンテナとからなる第２の受信系と，前記第１の受信系から出力される電気信号を第１の光信号に変換して出力する第１の光送信機と，前記第２の受信系から出力される電気信号を第２の光信号に変換して出力する第２の光送信機と，前記第１の光信号と，前記第２の光信号とを合成する第１の波長多重分割化装置とからなる受信点施設と，前記受信点施設と一方を接続され，当該施設から出力された光信号を伝送する光ファイバと，前記光ファイバの他方に接続され，この光ファイバを介して伝送された光信号を前記第１の光信号と前記第２の光信号とに分波する第２の波長多重分割化装置と，当該第２の波長多重分割化装置から出力される第１の光信号を電気信号に変換する第１の光受信機とからなる第１の出力経路と，前記第２の波長多重分割化装置と，当該第２の波長多重分割化装置から出力される第２の光信号を電気信号に変換する第２の光受信機とからなる第２の出力経路を備えた受信機側施設と，から構成される。
【０００６】
請求項２の発明は，前記第１の受信系を構成する受信アンテナの内少なくとも１つは，衛星からの電波を受信して，当該電波を第１の中間周波数帯の信号に変換して出力する少なくとも１つの受信要素を有した第１のアンテナからなり，前記第２の受信系を構成する受信アンテナの内少なくとも１つは，前記第１のアンテナが受信する衛星とは異なる衛星からの電波を受信して，当該電波を前記第１のアンテナから出力される第１の中間周波数帯の信号と一部若しくは全てが相互に重なる第２の中間周波数帯に変換して出力する少なくとも１つの受信要素を有した第２のアンテナとからなるように構成される。
【０００７】
請求項３の発明は，請求項２に記載の共同受信システムにおいて，前記第１のアンテナは，夫々相互に一部若しくは全てが重なる第１の中間周波数帯の信号を出力する２つの受信要素と，当該受信要素の出力に接続されて，前記第１の中間周波数帯の信号を，相互に重ならない第３の中間周波数帯に周波数変換して出力する周波数変換部とを備え，前記第２のアンテナは，夫々相互に一部若しくは全てが重なる第２の中間周波数帯の信号を出力する２つの受信要素と，当該受信要素の出力に接続されて，前記第２の中間周波数帯の信号を，相互に重ならない第４の中間周波数帯に周波数変換して出力する周波数変換部とを備え，
前記第１の受信系の出力は前記第１の光送信機に接続され，前記第２の受信系の出力は前記第２の光送信機に接続されるように構成される。
【０００８】
請求項４の発明は，請求項２に記載の受信システムにおいて，前記第２のアンテナは，前記第１のアンテナが受信する衛星とは異なる複数の衛星からの電波を受信する４つの受信要素が備えられ，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから構成される。
【０００９】
請求項５の発明は，請求項２に記載の共同受信システムにおいて，前記第２の受信系には，前記第１のアンテナが受信する衛星とは異なる複数の衛星からの電波を受信する，夫々１つ若しくは２つの受信要素を有する第２及び第３のアンテナを備え，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから構成される。
【００１０】
請求項６の発明は，請求項３に記載の共同受信システムにおいて，当該受信システムにおける受信側施設は，前記第１の出力経路には，前記第１の光受信機から出力された信号を前記第１の受信系から出力される前記第３の中間周波数帯の信号と，当該信号とは相互に重ならない信号とに分波する分波器と，前記第２の出力経路には，前記第２の光受信機から出力される前記第４の中間周波数帯の信号を略同量に分配する分配器と，前記分波器の第３の中間周波数帯が出力される出力端子と，前記分配器の一方の出力端子とに接続されて，前記第３の中間周波数帯の信号か，前記第４の中間周波数帯の信号かを選択する切換器とから構成される。
【００１１】
請求項７の発明は，請求項４又は請求項５に記載の共同受信システムにおいて，当該受信システムにおける受信側施設を構成する前記第１の出力経路には，前記第１の光受信機から出力された信号を前記第１の受信系から出力される前記第３の中間周波数帯の信号と，当該信号とは相互に重ならない信号とに分波する分波器と，前記第２の出力経路には，前記第２の光受信機から出力される前記第４の中間周波数帯の信号を周波数変換して前記第２の中間周波数帯の信号に周波数変換する周波数変換部を備えるように構成される。
【００１２】
請求項８の発明は，請求項１乃至請求項７の何れかに記載の共同受信システムにおいて，前記光信号は１．３１μｍ帯及び１．５５μｍ帯を使用して構成するか，１．５５μｍ帯を使用して構成される。
【発明の効果】
【００１３】
請求項１の発明によれば，衛星や地上放送等の電波を受信して，一部若しくは全てが相互に重なる受信電波を出力する複数の受信アンテナからなる受信点施設と，上記複数の受信信号を引き込むための一本の伝送線とを備える共同受信システムにおいて，
夫々異なる受信電波を出力する少なくとも１つの受信アンテナと当該出力を合成する合成手段とからなる第１の受信系と，夫々異なる受信電波であって，前記第１の受信系の出力と一部若しくは全てが重なる受信電波を出力する少なくとも１つの受信アンテナとからなる第２の受信系と，前記第１の受信系から出力される電気信号を第１の光信号に変換して出力する第１の光送信機と，前記第２の受信系から出力される電気信号を第２の光信号に変換して出力する第２の光送信機と，前記第１の光信号と，前記第２の光信号とを合成する第１の波長多重分割化装置とからなる受信点施設と，前記受信点施設と一方を接続され，当該施設から出力された光信号を伝送する光ファイバと，前記光ファイバの他方に接続され，この光ファイバを介して伝送された光信号を前記第１の光信号と前記第２の光信号とに分波する第２の波長多重分割化装置と，当該第２の波長多重分割化装置から出力される第１の光信号を電気信号に変換する第１の光受信機とからなる第１の出力経路と，前記第２の波長多重分割化装置と，当該第２の波長多重分割化装置から出力される第２の光信号を電気信号に変換する第２の光受信機とからなる第２の出力経路を備えた受信機側施設と，から成るように構成したので，例えば受信する電波の到来方向が異なる地上波ディジタル放送と地上波アナログ放送を受信したり，地上波放送と衛星からの電波を受信したりする場合のように，受信出力の一部若しくは全てが相互に重なった複数の周波数帯の信号を，お互いに妨害を与えることなく一本の伝送線で引き込むことができる共同受信システムを提供できるのである。
【００１４】
請求項２の発明によれば，請求項１に記載の共同受信システムにおいて，前記第１の受信系を構成する受信アンテナの内少なくとも１つは，衛星からの電波を受信して，当該電波を第１の中間周波数帯の信号に変換して出力する少なくとも１つの受信要素を有した第１のアンテナからなり，
前記第２の受信系を構成する受信アンテナの内少なくとも１つは，前記第１のアンテナが受信する衛星とは異なる衛星からの電波であって，前記第１のアンテナが受信する衛星からの電波と一部若しくは全てが相互に重なる周波数帯の電波を受信して，当該電波を前記第１のアンテナから出力される第１の中間周波数帯の信号と一部若しくは全てが相互に重なる第２の中間周波数帯に変換して出力する少なくとも１つの受信要素を有した第２のアンテナからなるように構成したので，地上波アナログ放送や地上波ディジタル放送だけでなく，衛星からの電波を受信する場合のように，1つの衛星から左旋円偏波，右旋円偏波信号や直線偏波，水平偏波信号を含む電波を受信する複数のアンテナからの受信出力であって，一部若しくは全てが相互に重なった周波数帯の信号を出力する複数のアンテナからの出力を，夫々相互に重ならない広帯域にわたって配列した受信系にグループ化することによって，各受信系の出力を一本の伝送線で引き込むことができる共同受信システムを提供できる。
この実施例としては，例えば第１の受信系からは，ＶＨＦ，ＵＨＦ帯の信号と，第１のアンテナとしてのＢＳアンテナの受信信号を，受信要素であるコンバーター（以下，単にコンバーターと記載する。）において周波数変換した第１の中間周波数帯の信号とが配列されて出力され，第２の受信系からは，第２のアンテナとしてのＣＳアンテナに備えた２つのコンバーターにおいて受信され，夫々異なる局部発振周波数によって相互に重ならないように配列された第２の中間周波数として出力されるような場合の共同受信システムに適している。
【００１５】
請求項３の発明によれば，請求項２に記載の共同受信システムにおいて，前記第１のアンテナは，夫々相互に一部若しくは全てが重なる第１の中間周波数帯の信号を出力する２つの受信要素と，当該受信要素の出力に接続されて，前記第１の中間周波数帯の信号を，相互に重ならない第３の中間周波数帯に周波数変換して出力する周波数変換部とを備え，前記第２のアンテナは，夫々相互に一部若しくは全てが重なる第２の中間周波数帯の信号を出力する２つの受信要素と，当該受信要素の出力に接続されて，前記第２の中間周波数帯の信号を，相互に重ならない第４の中間周波数帯に周波数変換して出力する周波数変換部とを備え，
前記第１の受信系の出力は前記第１の光送信機に接続され，前記第２の受信系の出力は前記第２の光送信機に接続するように構成したので，地上波アナログ放送や地上波ディジタル放送だけでなく，衛星からの電波を受信する場合のように，1つの衛星から左旋円偏波，右旋円偏波信号や直線偏波，水平偏波信号を含む電波を受信する複数のアンテナからの受信出力であって，一部若しくは全てが相互に重なった周波数帯の信号を出力する複数のアンテナからの出力を，各受信系に備えさせた周波数変換部を用いて，夫々相互に重ならない広帯域にわたって配列させて出力させることによって，各受信系の出力を一本の伝送線で引き込むことができる共同受信システムを提供できる。
この実施例としては，第１の受信系からは，ＶＨＦ，ＵＨＦ帯の信号と，第１のアンテナとしてのＣＳアンテナに備えた２つのコンバーターにおいて受信され，夫々同じ局部発振周波数によって周波数変換した第１の中間周波数帯の信号が出力され，第２の受信系からは，第２のアンテナとしてのＣＳアンテナに備えた２つのコンバーターにおいて受信され，夫々同じ局部発振周波数によって周波数変換した第２の中間周波数帯の信号として出力されるような場合の共同受信システムに適している。
【００１６】
請求項４の発明によれば，請求項２に記載の受信システムにおいて，前記第２のアンテナは，前記第１のアンテナが受信する衛星とは異なる複数の衛星からの電波を受信する４つの受信要素が備えられ，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから成るように構成したので，第２の受信系として示す第２のアンテナとして，マルチビームアンテナであるＣＳアンテナを用いシステムにおいても，一本の伝送線で引き込むことが可能な共同受信システムを提供できる。
【００１７】
請求項５の発明によれば，請求項２に記載の共同受信システムにおいて，前記第２の受信系には，前記第１のアンテナが受信する衛星とは異なる複数の衛星からの電波を受信する，夫々１つ若しくは２つの受信要素を有する第２及び第３のアンテナを備え，当該受信要素は夫々相互に一部若しくは全てが重なる第２の中間周波数帯の信号を出力するよう構成されると共に，当該出力を相互に重ならない第４の中間周波数帯に周波数変換して出力する周波数変換部とから成るように構成したので，複数の衛星からの信号を複数の異なるアンテナで受信するシステムにおいても，一本の伝送路で引き込むことができる共同受信システムを提供できる。
【００１８】
請求項６の発明によれば，請求項３に記載の共同受信システムにおいて，当該受信システムにおける受信側施設は，前記第１の出力経路には，前記第１の光受信機から出力された信号を前記第１の受信系から出力される前記第３の中間周波数帯の信号と，当該信号とは相互に重ならない信号とに分波する分波器と，前記第２の出力経路には，前記第２の光受信機から出力される前記第４の中間周波数帯の信号を略同量に分配する分配器と，前記分波器の第３の中間周波数帯が出力される出力端子と，前記分配器の一方の出力端子とに接続されて，前記第３の中間周波数帯の信号か，前記第４の中間周波数帯の信号かを選択する切換器とを備えたので，当該受信側施設を設置するだけで，各接続端子に簡単に接続することによってテレビの受信が可能となる共同受信システムを提供できる。
【００１９】
請求項７の発明によれば，請求項４又は請求項５に記載の共同受信システムにおいて，当該受信システムにおける受信側施設を構成する前記第１の出力経路には，前記第１の光受信機から出力された信号を前記第１の受信系から出力される前記第３の中間周波数帯の信号と，当該信号とは相互に重ならない信号とに分波する分波器と，前記第２の出力経路には，前記第２の光受信機から出力される前記第４の中間周波数帯の信号を周波数変換して前記第２の中間周波数帯の信号に周波数変換する周波数変換部を備えたので，受信機側施設が一つの筐体に収納されたので，当該受信側施設を設置するだけで，各接続端子に簡単に接続することによってテレビの受信が可能となる共同受信システムを提供できる。
【００２０】
請求項８の発明によれば，請求項１乃至請求項７の何れかに記載の共同受信システムにおいて，前記光信号は１．３１μｍ帯及び１．５５μｍ帯を使用して構成するか，１．５５μｍ帯を使用して構成したので，汎用の光部品を用いて広帯域に配列した複数系列の信号を相互に妨害無く且つ低損失で一本の光ファイバで引き込むことができ，簡単な工事で設置可能な共同受信システムを提供することができる。
【発明を実施するための最良の形態】
【００２１】
以下に，本発明を具体化した実施形態の例を，図面を基に詳細に説明する。
図１は本願に係る第１の実施形態を示す概略システム図である。図２は第１の実施形態に示すシステムにおける伝送周波数帯の配置を示す実施例である。図３，図４，図５，図６，図７，図８は本願に係る，異なる実施形態を示す。
【実施例１】
【００２２】
図１において１は建築物の屋上等に設置される受信点施設である。２はＶＨＦ帯の電波を受信するＶＨＦアンテナである。３はＵＨＦ帯の電波を受信するＵＨＦアンテナである。４は前記ＶＨＦアンテナ及び前記ＵＨＦアンテナから出力される受信信号を混合するための混合器である。
５はＢＳ・１１０°ディジタル放送を受信するためのＢＳ・ＣＳアンテナであり，受信要素としてのコンバーター５ａは円偏波を受信するように構成されており，このコンバーター５ａにおいて受信した電波を第１の中間周波数帯の信号に変換するものである。尚，このＢＳ・ＣＳアンテナは請求項に記載の第１のアンテナである。
６は前記混合器４から出力されたＶＨＦ帯の電波とＵＨＦ帯の電波が混合された信号と，前記ＢＳ・ＣＳアンテナから出力される第１の中間周波数帯の信号とを合成する合成手段としての混合器である。
このＶＨＦアンテナとＵＨＦアンテナとＢＳ・ＣＳアンテナと混合器とでもって請求項に記載の第１の受信系１０を構成している。
【００２３】
以下にこの第１の受信系の周波数配列についての実施例を図２（ａ）に示す。ＶＨＦ帯は９０〜２２２ＭＨｚ，ＵＨＦ帯は４７０〜７７０ＭＨｚ，ＢＳ・ＣＳアンテナから出力される第１の中間周波数帯におけるＢＳ放送帯は１０３２〜１４８９ＭＨｚ，１１０°ＣＳディジタル放送帯の右旋円偏波信号は１５９５〜２０７１ＭＨｚである。このように第１の受信系において，各周波数帯域が広帯域にわたって相互に重ならないように配列される。
尚，本願の実施例において，ＵＨＦ帯は１つのアンテナから構成されているが，地上波ディジタル放送の電波の到来方向が異なる場合は更にＵＨＦアンテナを加えてもよい。
また，ＢＳ・ＣＳアンテナにおいて１１０°ＣＳディジタル放送帯の左旋円偏波を左旋円偏波信号である２１１６〜２６０２ＭＨｚの信号を伝送してもよいことは言うまでもない。
【００２４】
次に，１５はＣＳディジタル放送を受信するためのＣＳアンテナである。尚，このアンテナは請求項に記載する第２のアンテナである。このアンテナは前記ＢＳ・ＣＳアンテナが受信する衛星とは異なる衛星からの電波を受信するアンテナであり，本願の実施例では，近接して配置された２つの異なる衛星からの電波を受信するマルチビームアンテナで構成されており，夫々衛星からの垂直偏波と垂直偏波の信号を受信して第２の中間周波数帯に周波数変換するための受信要素としてのコンバーターを４つ（垂直偏波用の局部発振器を備えたコンバーター１５ａ，１５ａと，水平偏波用の局部発振器を備えたコンバーター１５ｂ，１５ｂ）備えている。
アンテナ１５には１６で示される合成手段としての周波数変換部が備えさせてあり，当該周波数変換部において前記受信要素から出力され第２中間周波数の信号を取り入れて，各コンバーターから出力される信号の周波数帯が相互に重ならない第４の中間周波数帯の信号に変換するように構成されている。
尚，このＣＳアンテナ１５と周波数変換部１６で請求項に記載する第２の受信系２０を構成している。
【００２５】
以下にこの第２の受信系から出力される，第４の中間周波数帯の信号配列について，実施例を図２（ｂ）に示す。本願の実施例ではパーフェクＴＶサービスとスカイサービスの二つの衛星からのサービスを受信しており，パーフェクＴＶサービスの垂直偏波信号は１０４８〜１５３３ＭＨｚ，水平偏波信号は１５９０〜２０７０ＭＨｚ，スカイサービスの受信信号は前記周波数変換部において更に周波数変換されることで，垂直偏波信号は５３８〜１０１８ＭＨｚ，垂直偏波信号は２１０５〜２５８５ＭＨｚであるように構成されている。このように第２の受信系において，各周波数帯域が広帯域にわたって相互に重ならないように配列される。
尚，本願の実施例においてマルチビームアンテナを用いて受信しているが，夫々アンテナを設置して２つのアンテナで受信してもよいことは言うまでもない。
【００２６】
次に前記第１の受信系１０から出力された第１の中間周波数帯の信号は，２１に示す第１の光送信機に入力される。この第１の光送信機２１は前記第１の受信系１０から出力される電気信号を第１の光信号に変換して，この光信号を第１の光送信機２１に接続された光ファイバケーブル２２に送出するためのものであり，本願の実施例では１．３１μｍの波長の光信号を用いている。光ファイバ２２を介して前記第１の光信号は波長分割多重化装置２５に入力される。
【００２７】
同様に前記第２の受信系２０から出力された第４の中間周波数帯の信号は，２３に示す第２の光送信機に入力される。この第２の光送信機２３は前記第２の受信系２０から出力される電気信号を第２の光信号に変換して，この光信号を光送信機２３に接続された光ファイバ２４に送出するためのものであり，本願の実施例では１．５５μｍの波長の光信号を用いている。光ファイバ２４を介して前記第２の光信号は第１の波長分割多重化装置２５に入力される。
【００２８】
前記第１の波長分割多重化装置２５は光信号を合成する合成器であり，前記第１の光信号と前記第２の光信号とを合成して，この波長分割多重化装置２５に接続された光ファイバケーブル２６に接続されて光信号を伝送する。
尚この光ファイバケーブル２６は例えば１０ｋｍ程度の長さでも伝送可能である
尚，前記第１及び第２の受信系と前記第１及び第２の光送信機，前記第１の波長分割多重化装置２５とでもって請求項に記載の受信点施設を構成している。
この受信点施設は，例えばマンション等の屋上に設置する施設例として考えても良いし，ＣＡＴＶセンター局に設置する施設としてもよい。
【００２９】
次に光ファイバケーブル２６によって伝送されてきた光信号は，３１に示す第２の波長分割多重化装置に入力される。この波長分割多重化装置３１は複数の波長からなる光信号を分波するための分波器であり，本願ではこの装置によって光信号は前記第１の光信号と前記第２の光信号とに分波される。こうして分波された信号の内第１の光信号は，光ファイバ３２を介して第１の光受信機３３に入力され，当該第１の光受信機において，前記第１の受信系から出力された同じ帯域の電気信号に変換されて第１の出力端子３０ａから出力される。
同様に前記第２の波長分割多重化装置３１において分波された残りの信号である第２の光信号は，光ファイバ３４を介して第２の光受信機３５に入力され，当該第２の光受信機３５において，前記第４の中間周波数帯の電気信号に変換され第２の出力端子３０ｂから出力される。
【００３０】
前記第１の出力端子３０ａには，この出力端子３０ａから出力される信号から，ＶＨＦ帯の信号及びＵＨＦ帯の信号と前記第１の中間周波数帯の信号とを分波する分波器４０が接続されており，ＶＨＦ帯及びＵＨＦ帯の信号はテレビ受信装置４１やＶＴＲ等に，第１の中間周波数帯の信号はＢＳ・ＣＳディジタルチューナー４２を介してテレビ受信装置４１等に接続されている。
前記第２の出力端子３０ｂには，この出力端子３０ｂから出力される前記第４の中間周波数帯の信号を，前記第２の中間周波数帯の信号配列と同じになるように周波数変換する周波数変換部４５が接続されている。周波数変換部４５から出力された信号はＣＳチューナー４６を介してテレビ受信装置４１に接続されている。
【００３１】
尚，前記第２の波長分割多重化装置３１と前記第１及び第２の光受信機３３，３５でもって請求項に記載の受信機側施設３０を構成している。更にこの受信機側施設３０は前記各構成要素を同一筐体に収納して構成しても良い。
また図８に示すように前記受信点施設に分波器４０及び周波数変換部４５を筐体に収納して構成させても良い（この場合の実施例では，ＶＨＦ及びＵＨＦ帯の信号の出力端子は３０ｃ，ＢＳ・１１０°ＣＳディジタル放送の信号の出力端子は３０ｄ，ＣＳディジタル放送の信号の出力端子は３０ｅとして図示されている。）。
更に本願の実施例では第１の光信号として１．３１μｍの波長の光信号を用い，第２の光信号として１．５５μｍの光信号を用いた例を示したが，特に限定されるものではなくこの逆の使い方でもよいし，第１及び第２の光信号を１．５５μｍ帯の光信号を用いて伝送する方法でもよい。
【００３２】
次に図３を用いて本願の異なる実施例を説明する。尚以下の実施例では前記実施例と同様な構成を示すものは同一の番号を付与し，特に詳細な説明は省略する。この実施例においては第２の受信系のアンテナには受信要素が２つ備えられ，１つの衛星からの垂直偏波及び水平偏波の信号を受信するものである。この場合受信要素であるコンバーターから出力される第２の中間周波数帯の信号は，前記垂直偏波及び水平偏波用のコンバーターの局部発振周波数を同じ周波数，例えば１１．２ＧＨｚで構成したものであれば，第２の中間周波数帯が相互に重なるため，各出力信号を周波数変換部１６において相互に重ならない周波数配列に変換してから出力する。また，第２中間周波数帯の信号が相互に重ならないように各コンバーターの局部発振周波数を決める方法でもよい。この実施例では例えば垂直偏波信号には１１．２ＧＨｚ，水平偏波信号には１０．６７８ＧＨｚを使えばよく，この場合は各出力信号を合成手段である混合器７で混合してから出力すればよい。
この実施例では，第１の受信系はＵＨＦアンテナと第１のアンテナとしてのＢＳ・１１０°ＣＳアンテナからなり，第２の受信系は第２のアンテナとしてＣＳディジタル放送のパーフェクトＴＶサービスを受信するアンテナのように，前記第１の受信系が受信する衛星とは異なる他の衛星からのひとつのサービスを受けるような場合に適している。
【００３３】
図４に示す実施例では，地上波と３つの衛星からの電波を受信するシステムの異なる実施例である。
第１の受信系では，ＵＨＦ帯の電波とＣＳディジタル放送のパーフェクＴＶサービスからの電波を受信する第１のアンテナとからなり，第２の受信系ではＢＳ放送からの電波を受信する第３のアンテナと，ＣＳディジタル放送のスカイサービスからの電波を受信する第２のアンテナからなる。
【００３４】
この場合においても，第１の受信系からはＵＨＦ帯の受信信号と，第１のアンテナから出力された第１の中間周波数帯の信号を，合成手段を用いて混合若しくは周波数変換し，各周波数帯が相互に重ならないように配列させた第３の中間周波数帯として出力するものである。
第２の受信系からは，前記第３のアンテナと前記第２のアンテナから出力され第２の中間周波数帯の信号を，合成手段を用いて混合若しくは周波数変換し，各周波数が相互に重ならないように配列させた第４の中間周波数帯の信号として出力するものである。
このように各受信系から出力された信号は，第１の光送信機及び第２の光送信機において夫々第１の光信号及び第２の光信号に変換され，第１のは長分割多重化装置２５において合成されてから一本の光ケーブル２６に送出されるのである。
【００３５】
このようにして出力された信号は，光ファイバケーブル２６を介して受信機側施設３０に引き込まれる。引き込まれた光信号は第２の波長分割多重化装置３１において第１の光信号と第２の光信号に分波されてから夫々光ファイバ３２，２４を介して第１の光受信機及び第２の光受信機に入力される，入力された光信号は夫々第３の中間周波数帯の信号と第４の中間周波数帯の信号に変換される。
第３の中間周波数帯の信号は出力端子３０ａから出力される。この出力端子３０ａには分配器４０が接続されており，この分配器４０を介してＵＨＦ帯の信号はテレビ受信装置４１に接続され，第３の中間周波数帯の信号成分は５０に示す切替手段に入力される。
第４の中間周波数帯の信号は出力端子３０ｂから出力される。この出力端子３０ｂから出力された信号は前記切替手段５０に入力される。
【００３６】
この切替手段５０は，受信を希望するＣＳディジタル放送の切替を行うためのものであり，この実施例ではパーフェクＴＶサービスかスカイサービス化を選択するものである。切替手段５０の出力はＣＳディジタル放送用のチューナー４６を介してテレビ受信装置４１に接続されている。
尚，前記第２の波長分割多重化装置３１，第１の光受信機３３，第２の光受信機３５を夫々同一筐体に収納して受信機側施設３０を構成しても良い。更に図７に示すように，合わせて混合器４０と切替手段５０を前記筐体に収納させて受信機側施設としてもよい（この場合の実施例では，ＶＨＦ及びＵＨＦ帯の信号の出力端子は３０ｃ，ＣＳディジタル放送の信号の出力端子は３０ｄとして図示されている。）。
尚，この実施例においては図５に示すようにＢＳアンテナが無くてもよい。
【００３７】
このように本願によれば，衛星や地上波等からの電波を受信して，一部若しくは全てが相互に重なる受信電波を出力する複数の受信アンテナからなる受信点施設であっても，各受信アンテナからの出力が相互に重ならないような周波数配列となるアンテナを夫々１グループの受信系として構成し，当該各受信系の出力を夫々光信号に変換し，当該光信号を波長分割多重化装置によって合成することによって，受信アンテナの出力が相互に一部若しくは全てが重なる周波数帯であっても一本の伝送線，この実施例では光ファイバで引き込むことができ，共同受信システム設置工事の容易な共同受信システムが提供できるのである。
【００３８】
尚，本願の実施例では第１及び第２の受信系には少なくとも一の受信アンテナが衛星からの電波を受信して，当該各受信アンテナから出力される信号が一部若しくは全てが重なる周波数帯の信号であっても，混信等与えることなく一本の伝送線で引き込む例を示したが，例えば図６に示すようにＵＨＦ帯の信号であっても，地上波アナログ放送と地上波ディジタル放送とを受信するような場合において，電波の到来方向が異なる地域においては，アナログ用アンテナ３ａとディジタル用アンテナ３ｂを設置する必要がある。この場合設置地域において，例えばＵＨＦアンテナ３ａはｃｈ１３〜ｃｈ２４を受信して，ＵＨＦアンテナ３ｂではｃｈ２２〜ｃｈ６４を受信するように，相互に受信チャンネルが重なるような場合があり，このようなアナログ−ディジタル対策においても使用できることは言うまでもない。また，地上波だけの電波を受信する受信系と衛星からの電波を受信する受信系との組合せでシステムを構築してもよい事は言うまでもない。
【００３９】
また，本願の受信点施設はマンション等の共同受信システムにも有効であり，建築物内に引き込まれた光信号を，光分配器を用いて分配すれば端末数の多い施設においても使用できる。尚，本願の発明によればＶＨＦ帯とＵＨＦ帯の信号は夫々受信点施設に受信アンテナを設置た例を示したが，これらの信号の変わりにＣＡＴＶセンター局からの信号を用いても良い。
また，例えば受信点施設をＣＡＴＶセンター局として設置し，受信機側施設をサブセンター局に設置し，相互に１０ｋｍ程離れた位置に設置することによって，例えばセンター局において受信障害が生じた場合であっても，サブセンターを利用することでサービスを提供できるのである。
尚，本発明は上記実施の形態に限定されるものではなく，本発明の趣旨を逸脱しない範囲で各部の構成を適宜に変更して実施することも可能である。
【図面の簡単な説明】
【００４０】
【図１】本願に係る第１の実施形態を示す概略システム図である。
【図２】第１の実施形態に示すシステムにおける伝送周波数帯の配置を示す実施例である。
【図３】本願の他の実施形態を示す。
【図４】本願の他の実施形態を示す。
【図５】本願の他の実施形態を示す。
【図６】本願の他の実施形態を示す。
【図７】本願の他の実施形態を示す。
【図８】本願の他の実施形態を示す。
【符号の説明】
【００４１】
１…受信点施設，２…ＶＨＦアンテナ，３…ＵＨＦアンテナ，４…混合器，５…第１のアンテナ（ＢＳ・１１０°ＣＳディジタルアンテナ），６…混合器，７…混合器，１０…第１の受信系，１５…第２のアンテナ（ＣＳディジタルアンテナ），１６…周波数変換器，２０…第２の受信系，２１…第１の光送信機，２２…光ファイバ，２３…第２の光送信機，２４…光ファイバ，２５…第１の波長分割多重化装置，２６…光ファイバケーブル，２７…，２８…，２９…，３０…受信機側施設，３０ａ・３０ｂ・３０ｃ・３０ｄ・３０ｅ…出力端子，３１…第２の波長分割多重化装置，３２…光ファイバ，３３…第１の光受信機，３４…光ファイバ，３５…第２の光受信機，４０…分波器，４１…テレビ受信装置，４２…チューナー，４４…分配器，４５…周波数変換部，４６…チューナー，４７…チューナー，５０…切替手段
【図１】
2005303748.tif 000003
【図２】
2005303748.tif 000004
【図３】
2005303748.tif 000005
【図４】
2005303748.tif 000006
【図５】
2005303748.tif 000007
【図６】
2005303748.tif 000008
【図７】
2005303748.tif 000009
【図８】
2005303748.tif 000010